(57)【要約】【課題】外観の美観を損なうことなくノックアウト部でノックアウトされる領域を容易に設定可能な外面パネル、この外面パネルを備える空気調和機の室内機、ノックアウト方法、及び空気調和機の室内機の据付方法を提供する。【解決手段】送風ファン及び熱交換器を収容する空気調和機の室内機の筐体の表面に設けられたパネル本体１０を備え、パネル本体１０には、パネル本体１０の内側から凹むとともに、パネル本体１０上の一領域であるノックアウト部Ａ１を囲むように延びる外周溝１５と、パネル本体１０の内側から凹むとともに、外周溝１５に接続されてノックアウト部Ａ１を区画するように延びる内溝２０と、が設けられている。【選択図】図２
2018091508.tif 000002
【特許請求の範囲】
【請求項１】
送風ファン及び熱交換器を収容する空気調和機の室内機の筐体の表面に設けられたパネル本体を備え、
前記パネル本体には、
該パネル本体の内側から凹むとともに、該パネル本体上の一領域であるノックアウト部を囲むように延びる外周溝と、
前記パネル本体の内側から凹むとともに、前記外周溝に接続されて前記ノックアウト部を区画するように延びる内溝と、
が設けられている外面パネル。
【請求項２】
前記内溝は、縦溝と、該縦溝に交差する横溝とを有していることで前記内溝は格子状に設けられている請求項１に記載の外面パネル。
【請求項３】
前記内溝の溝幅は、前記外周溝の溝幅に比べて小さい請求項２に記載の外面パネル。
【請求項４】
請求項１から３のいずれか一項に記載の外面パネルと、
前記外面パネルが取付けられた筐体と、
前記筐体に収容された送風ファン、及び、熱交換器と、
を備える空気調和機の室内機。
【請求項５】
請求項１から３のいずれか一項に記載の外面パネルにおける前記パネル本体の前記外周溝を切断する切断工程と、
前記内溝に切り込みを入れる切込工程と、
前記切断工程と前記切込工程の後に、前記ノックアウト部における前記外周溝と前記内溝との間で区画された領域を把持して該領域を除去する除去工程と、
を含むノックアウト部のノックアウト方法。
【請求項６】
空気調和機の室内機から前記外面パネルを取り外すパネル取外工程と、
前記パネル取外工程の後に実行される請求項５に記載のノックアウト方法と、
前記ノックアウト方法の実行後に、前記外面パネルを前記室内機に取り付けるパネル取付工程と、
を含む空気調和機の室内機の据付方法。
【発明の詳細な説明】
【技術分野】
【０００１】
本発明は、空気調和機の室内機の外面パネル、外面パネルを備える室内機、外面パネルのノックアウト部をノックアウトする方法、及び室内機の据付方法に関する。
【背景技術】
【０００２】
従来から、室内の空気を取り込んで温度や湿度の調整を行った後に、空気を室内へ供給する空気調和機が知られている。空気調和機は室内に設置される室内機と、室内機に配管によって接続されて室外に設置される室外機とを備えている。
【０００３】
そして、空気調和機の室内機には送風機及び熱交換器を収容する筐体を覆うように外面パネルが設けられている。外面パネルには、室内機と室外機とを接続する上記の配管を外面パネルを貫通して配置可能となるよう、外面パネルの一部を除去できるように外面パネルの肉厚を薄くした溝によって囲まれたノックアウト部が設けられている。このようなノックアウト部は例えば特許文献１に記載されている。
【先行技術文献】
【特許文献】
【０００４】
【特許文献１】実開平２−６５０１２号公報
【発明の概要】
【発明が解決しようとする課題】
【０００５】
しかしながら、室内機と室外機とを接続する配管には複数の規格（寸法）が存在している。このため、仮に配管の径に対して外面パネルから除去されるノックアウト部の寸法が大きい場合には外面パネルの内側の筐体が外部に露出してしまい、外観の美観を損なう可能性がある。ここで特許文献１に記載されたノックアウト部では配管径に合わせて開口径を調整することは困難である。
【０００６】
そこで本発明は、外観の美観を損なうことなくノックアウト部で除去される領域を容易に設定可能な外面パネル、この外面パネルを備える空気調和機の室内機、ノックアウト方法、及び空気調和機の室内機の据付方法を提供する。
【課題を解決するための手段】
【０００７】
本発明の第一の態様に係る外面パネルは、送風ファン及び熱交換器を収容する空気調和機の筐体の表面に設けられたパネル本体を備え、前記パネル本体には、該パネル本体の内側から凹むとともに、該パネル本体上の一領域であるノックアウト部を囲むように延びる外周溝と、前記パネル本体の内側から凹むとともに、前記外周溝に接続されて前記ノックアウト部を区画するように延びる内溝と、が設けられている。
【０００８】
このような外面パネルでは、内側から外周溝及び内溝が設けられている。よって、筐体にパネル本体が取り付けられている状態では、外部からこれら外周溝及び内溝を視認することができない。よって室内機の外観の美観を損なうことがない。さらに、パネル本体には外周溝に加えて内溝が設けられているため、ノックアウト部の全体だけでなく、ノックアウト部のうちの一部である外周溝と内溝とで区画された領域のみを除去することも可能である。よって、例えば室内機と室外機とを接続する配管を、このノックアウト部においてパネル本体を貫通して配置する場合、配管径に合わせてノックアウト部の一部のみをパネル本体から除去可能である。従って配管とパネル本体との間の隙間を小さくすることができ、パネル本体の内側の筐体が外部に露出してしまうことを回避できる。
また、内溝によってノックアウト部を区画したことで、溝に切り込みを入れるなどしてノックアウト部の一部の領域である外周溝と内溝とで区画された領域を容易に除去することが可能となる。
【０００９】
また、本発明の第二の態様に係る外面パネルは、上記第一の態様の外面パネルにおいて、前記内溝は、縦溝と、該縦溝に交差する横溝とを有していることで前記内溝は格子状に設けられていてもよい。
【００１０】
このように、格子状に内溝を設けることで、ノックアウト部の領域を細かく区画することができる。よって、室内機と室外機とを接続する配管径に合わせて、さらに容易にノックアウト部の一部を除去することが可能となる。
【００１１】
また、本発明の第三の態様に係る外面パネルは、上記第二の態様の外面パネルにおいて前記内溝の溝幅は、前記外周溝の溝幅に比べて小さくともよい。
【００１２】
このように内溝を設けることで、例えばまず外周溝に沿ってノックアウト部を切断し、その後、外周溝と内溝とで区画されたノックアウト部の一部を把持して力を加えることで、より溝幅の小さい内溝に応力が集中する。よって外周溝と内溝とで区画されたノックアウト部の一部を容易に除去することができる。
【００１３】
また、本発明の第四の態様に係る空気調和機の室内機は、上記第一から第三のいずれかの態様の外面パネルと、前記外面パネルが取付けられた筐体と、前記筐体に収容された送風ファン、及び、熱交換器と、を備えている。
【００１４】
このような室内機によれば、上記の外面パネルが設けられていることで、筐体に外面パネルが取り付けられている状態では外部からこれら外周溝及び内溝を視認することができず、室内機の外観の美観を損なうことがない。さらに、ノックアウト部の全体だけでなく、ノックアウト部のうちの一部である外周溝と内溝とで区画された領域のみを除去することも可能である。よって、配管径に合わせてノックアウト部の一部のみをパネル本体から除去し、配管径とパネル本体との間の隙間を小さくすることができ、パネル本体の内側の筐体が外部に露出してしまうことを回避できる。また、内溝によってノックアウト部を区画したことで、ノックアウト部の一部を容易に除去することが可能となる。
【００１５】
また、本発明の第五の態様に係るノックアウト部のノックアウト方法は、上記第一から第三のいずれかの態様の外面パネルにおける前記パネル本体の前記外周溝を切断する切断工程と、前記内溝に切り込みを入れる切込工程と、前記切断工程と前記切込工程の後に、前記ノックアウト部における前記外周溝と前記内溝との間で区画された領域を把持して該領域を除去する除去工程と、を含んでいる。
【００１６】
このようなノックアウト方法によれば、ノックアウト部の全体だけでなく、ノックアウト部のうちの一部である外周溝と内溝とで区画された領域のみを除去することが可能である。よって、配管径に合わせてノックアウト部の一部のみをパネル本体から除去し、配管径とパネル本体との間の隙間を小さくすることができ、パネル本体の内側の筐体が外部に露出してしまうことを回避できる。また、内溝によってノックアウト部を区画し、切断工程及び切込工程を実行することで、ノックアウト部の一部を容易に除去することが可能となる。
【００１７】
また、本発明の第六の態様に係る空気調和機の室内機の据付方法は、空気調和機の室内機から前記外面パネルを取り外すパネル取外工程と、前記パネル取外工程の後に実行される上記第五の態様のノックアウト方法と、前記ノックアウト方法の実行後に、前記外面パネルを前記室内機に取り付けるパネル取付工程と、を含んでいる。
【００１８】
このような据付方法によれば、室内機の据付時に室内機と室外機とを接続する配管をノックアウト部を貫通して配置する際、配管径に合わせてノックアウト部の一部のみをパネル本体から除去できるため、配管径とパネル本体との間の隙間を小さくすることができる。よって、パネル本体の内側の筐体が外部に露出してしまうことを回避できる。また、内溝によってノックアウト部を区画し、切断工程及び切込工程を実行することで、容易にノックアウト部の一部を容易に除去できる。
【発明の効果】
【００１９】
上記の外面パネル、空気調和機の室内機、ノックアウト方法、及び空気調和機の室内機の据付方法によれば、外観の美観を損なうことなく外面パネルに設けられたノックアウト部でノックアウトされる領域を容易に設定可能である。
【図面の簡単な説明】
【００２０】
【図１】本発明の実施形態の空気調和機の室内機の全体斜視図である。
【図２】本発明の実施形態の室内機の底面パネルの斜視図である。
【図３】本発明の実施形態の室内機の底面パネルの要部拡大図である。
【図４】本発明の実施形態の室内機の据付方法の工程を示すフロー図である。
【図５】本発明の実施形態の室内機の底面パネルのノックアウト部の一部を除去した状態を示す図である。
【発明を実施するための形態】
【００２１】
以下、本発明の実施形態の空気調和機１００の室内機１について説明する。
空気調和機１００は、室内に設けられる室内機１と、室内機１に配管によって接続されて室外に設けられる室外機（不図示）とを備えている。
室内機１は、空気を吸い込んで温度や湿度の調整を行った後に空気を吹き出し、室内の空気調和を行う。
【００２２】
室内機１は、筐体２と、筐体２の内部に収容された送風ファン３及び熱交換器４と、筐体２の全体を覆う外面パネル５とを備えている。
【００２３】
筐体２は略直方体形状をなし、室内機１が室内の所定位置に据え付けられた際に下部となる位置で筐体２には空気の吹出口２ａが設けられている。ここで、室内機１が所定位置に据え付けられた状態では筐体２の長手方向が、室内機１の横方向となる。また横方向及び高さ方向に直交する方向を前後方向とする。
以下では、室内機１が据え付けられた状態を基準に説明する。
【００２４】
送風ファン３は、横方向に延びるクロスフローファンである。
熱交換器４は、送風ファン３を外周から囲むように設けられている。
【００２５】
外面パネル５は筐体２の全体を覆っている。外面パネル５としては、筐体２の長手方向の両側面を覆う一対の側面パネル５ａと、筐体２の下部（底部）に設けられた底面パネル５ｂと、底面パネル５ｂの前側で吹出口２ａを覆うように筐体２の下部に設けられたフラップ５ｃと、筐体２の前面を覆う前面パネル５ｄと、筐体２の天面を覆う天面パネル５ｅとが設けられている。フラップ５ｃは吹出口２ａを覆うとともに吹出口２ａの開口方向を調整する。
【００２６】
以下、外面パネル５のうち底面パネル５ｂについて詳細に説明する。
図２及び図３に示すように、底面パネル５ｂは、筐体２の底面に沿って延びる板状をなすパネル本体１０と、パネル本体１０の横方向の両端部に設けられて上方に延びる一対の支持部１１とを有している。
【００２７】
各々の支持部１１は、筐体２に底面パネル５ｂが取付けられた状態で、筐体２の背面に対向して固定される部分である。
【００２８】
パネル本体１０には、横方向の両端部寄り位置で、かつ、横方向に支持部１１に隣接する位置でパネル本体１０の内側（筐体２側）から外側に向かって凹んで外周溝１５及び内溝２０が設けられている。
【００２９】
各々の外周溝１５は、パネル本体１０上の横方向の両端部寄りの位置で、パネル本体１０の後端縁１０ａから前方に直線状に延びる一対の第一直線部１６と、パネル本体１０の前後方向の略中央の位置で横方向に沿って直線状に延びる第二直線部１７と、これら一対の第一直線部１６と第二直線部１７とを接続する一対の曲線部１８とを有している。曲線部１８は、略円弧状をなし、前方に向かって凸となるような曲線状をなしている。これら第一直線部１６、第二直線部１７、及び曲線部１８は連続して設けられている。このようにして、各々の外周溝１５は、パネル本体１０上の一領域であるノックアウト部Ａ１を囲むように設けられている。
【００３０】
ここで外周溝１５の溝幅ａは、２．０[ｍｍ]以上で３．０[ｍｍ]以下であるとよい、より好ましくは、２．２[ｍｍ]以上で２．８[ｍｍ]以下であるとよい。
【００３１】
内溝２０は、少なくとも一端が外周溝１５に接続されて上記のノックアウト部Ａ１に設けられている。本実施形態では、ノックアウト部Ａ１を６つの領域に区画するように複数の内溝２０が設けられている。内溝２０は、パネル本体１０の前後方向に延びるとともにノックアウト部Ａ１の横方向における中央位置に設けられた縦溝２１と、縦溝２１に直交して横方向に延びるとともにノックアウト部Ａ１の前後方向に間隔をあけて設けられた２つの横溝２２とを有している。これにより内溝２０は格子状に設けられている。
【００３２】
このようにして横方向の右側（図２に紙面に向かって右側）のノックアウト部Ａ１は、支持部１１に横方向に最も隣接するとともに、パネル本体１０の最も後端に位置する第一領域Ａ１ａから時計回りに順に第二領域Ａ１ｂ、第三領域Ａ１ｃ、第四領域Ａ１ｄ、第五領域Ａ１ｅ、及び第六領域Ａ１ｆとに区画されている。
【００３３】
内溝２０の溝幅ｂは、外周溝１５の溝幅ａに比べて小さくなっている。具体的には内溝２０の溝幅ｂは、０．２[ｍｍ]以上１[ｍｍ]以下であるとよい。より好ましくは、０．３[ｍｍ]以上で０．７[ｍｍ]以下であるとよい。
【００３４】
さらに、ノックアウト部Ａ１の第一領域Ａ１ａ内において、後端縁１０ａに連続して第一領域Ａ１ａにおける前後方向の中途位置まで広がる領域が小ノックアウト部Ａ２となっている。小ノックアウト部Ａ２は、上方から見て四角形状をなしている。
小ノックアウト部Ａ２は、後端縁１０ａに接続されて第一領域Ａ１ａの前後方向の略中央位置まで延びる区画溝３０によって第一領域Ａ１ａの一部が区画されることで設けられている。区画溝３０の溝幅は、外周溝１５の溝幅と略同一である。
【００３５】
次に、本実施形態の空気調和機１００の室内機１の据付方法及びノックアウト部Ａ１のノックアウト方法について説明する。
室内機１の据付方法では、図４に示すようにまずパネル取外工程Ｓ１を実行する。パネル取外工程Ｓ１では、室内機１の筐体２から底面パネル５ｂを取り外す。
【００３６】
その後、外周溝１５を切断する切断工程Ｓ２を実行する。切断工程Ｓ２では、外周溝１５のうち、ノックアウト部Ａ１で除去しようとするいずれかの領域（第一領域Ａ１ａから第六領域Ａ１ｆ）に対応する部分のみをノコギリ等で切断する。本実施形態では例えば図５に示すように第一領域Ａ１ａのみを切断する。切断後には、ヤスリ等でバリ取りを行う。
【００３７】
その後、切込工程Ｓ３を実行し、除去しようとする例えば第一領域Ａ１ａを区画する内溝２０に切り込みを入れる。
【００３８】
その後、除去工程Ｓ４を実行し、除去しようとする例えば第一領域Ａ１ａを把持して第一領域Ａ１ａをパネル本体１０から除去する。第一領域Ａ１ａの除去の際には工具を用いてもよいし、手で行ってもよい。
【００３９】
最後に、パネル取付工程Ｓ５を実行し、例えば第一領域Ａ１ａを除去した底面パネル５ｂを再び室内機１に取り付ける。
【００４０】
以上説明した本実施形態の空気調和機１００の室内機１によれば、底面パネル５ｂのパネル本体１０にノックアウト部Ａ１が設けられている。そしてノックアウト部Ａ１では、パネル本体１０の内側から外側に向かって凹む溝である外周溝１５及び内溝２０が設けられている。
【００４１】
よって、筐体２にパネル本体１０が取り付けられている状態では、外部からこれら外周溝１５及び内溝２０を視認することができない。よって室内機１の外観の美観を損なうことがない。
【００４２】
さらに、パネル本体１０には外周溝１５に加えて内溝２０が設けられている。このため、ノックアウト部Ａ１の全体だけでなく、ノックアウト部Ａ１のうちの一部である外周溝１５と内溝２０とで区画された領域のみを除去することも可能である。よって、例えば室内機１と室外機とを接続する配管を、このノックアウト部Ａ１でパネル本体１０を貫通して配置する場合、配管径に合わせてノックアウト部Ａ１の一部のみをパネル本体１０から除去可能である。
【００４３】
従って配管径とパネル本体１０との間の隙間を小さくすることができ、パネル本体１０の内側の筐体２が外部に露出してし、外観の美観を損なってしまうことを回避できる。
【００４４】
また、内溝２０によってノックアウト部Ａ１を複数の領域に区画したことで、内溝２０に切り込みを入れ、容易に外周溝１５と内溝２０とで区画されたノックアウト部Ａ１の一部の領域のみを除去することが可能となる。
【００４５】
また、格子状に内溝２０を設けることで、ノックアウト部Ａ１の領域を細かく区画することができる。よって、室内機１と室外機とを接続する配管径に合わせて、さらに容易にノックアウト部Ａ１の一部を除去することが可能となる。
【００４６】
さらに外周溝１５よりも小さい溝幅の内溝２０を設けることで、まず外周溝１５に沿ってノックアウト部Ａ１を切断し、その後、外周溝１５と内溝２０とで区画されたノックアウト部Ａ１の一部を把持して力を加えることで、溝幅の小さい内溝２０に大きな応力集中が発生する。よって外周溝１５と内溝２０とで区画されたノックアウト部Ａ１の一部を、工具を用いなくとも容易に除去することが可能となる。
【００４７】
さらに、小ノックアウト部Ａ２を設けたことで区画溝３０を切断し、この小ノックアウト部Ａ２のみを除去することができる。よって、この小ノックアウト部Ａ２の領域を貫通して配線等の配管よりも小径の部材を設けることができる。
【００４８】
以上、本発明の実施形態について図面を参照して詳述したが、各実施形態における各構成及びそれらの組み合わせ等は一例であり、本発明の趣旨から逸脱しない範囲内で、構成の付加、省略、置換、およびその他の変更が可能である。また、本発明は実施形態によって限定されることはなく、特許請求の範囲によってのみ限定される。
例えば、上記ではノックアウト部Ａ１を底面パネル５ｂに設けた場合の例について説明したが、他の外面パネル５（例えば側面パネル５ａ）に設けてもよい。
【００４９】
また、小ノックアウト部Ａ２は必ずしも設けなくともよい。また、内溝２０は少なくとも一本設けられていればよい。即ち、内溝２０が縦溝２１及び横溝２２を有することなく、少なくともノックアウト部Ａ１を二つの領域に区画するように、一つの内溝２０を設けられてもよい。
【００５０】
内溝２０では、縦溝２１と横溝２２とが直交せず、斜めに交差していてもよい。さらに外周溝１５はパネル本体１０の後端縁１０ａに連続していなくともよい。即ち、パネル本体の前後方向、横方向の内側にノックアウト部Ａ１が設けられていてもよい。
【符号の説明】
【００５１】
１…室内機
２…筐体
２ａ…吹出口
３…送風ファン
４…熱交換器
５…外面パネル
５ａ…側面パネル
５ｂ…底面パネル
５ｃ…フラップ
５ｄ…前面パネル
５ｅ…天面パネル
１０…パネル本体
１０ａ…後端縁
１１…支持部
１５…外周溝
１６…第一直線部
１７…第二直線部
１８…曲線部
２０…内溝
２１…縦溝
２２…横溝
３０…区画溝
１００…空気調和機
Ａ１…ノックアウト部
Ａ１ａ…第一領域
Ａ１ｂ…第二領域
Ａ１ｃ…第三領域
Ａ１ｅ…第四領域
Ａ１ｄ…第五領域
Ａ１ｆ…第六領域
Ａ２…小ノックアウト部
Ｓ１…パネル取外工程
Ｓ２…切断工程
Ｓ３…切込工程
Ｓ４…除去工程
Ｓ５…パネル取付工程
【図１】
2018091508.tif 000003
【図２】
2018091508.tif 000004
【図３】
2018091508.tif 000005
【図４】
2018091508.tif 000006
【図５】
2018091508.tif 000007